(57)【要約】【課題】横リブの数を減少させることなく、座板の両側に肘掛け部材がそれぞれ１つの固定金具を介して、固定される肘掛け付き椅子を提供することにあり、さらに、この固定金具が簡単に確実に取付けできる構造を提案する。【解決手段】位置決めリブ２２ａは、その上面部に段部２４ａを設けて座板２０の外周部方向が高くなるように突出部（被係合部）２４を形成しており、固定金具３０の上板部３４がこの位置決めリブ２２ａの低い上面部に密着できるようになっている。また、この位置決めリブ２２ａには上板部３４の金具取付孔３７に対応する位置に筒状孔２５が配置されている。そして、固定金具３０が座板２０上面に設けられた位置決めリブ２２ａに跨って配置されるとともに、固定金具３０の上板部３４に設けられたスリット（係合部）３８が、位置決めリブ２２ａに嵌まり込んで、固定金具３０が位置決めされる。【選択図】図５
2010131246.tif 000002
【特許請求の範囲】
【請求項１】
椅子の座部の構造材としてその上に装着されるクッション部を支持する座板と、その座板の両側部に固定された肘掛け部材とを備えた肘掛付き椅子において、
前記座板の、前記クッション部が装着される上面の少なくとも前記両側部に位置し、座部の幅方向に延び、かつ座部の前後方向に所定の間隔で、前記座板の上面から立ち上がる高さを有して直線状に形成された複数の横リブと、
前記座板の両側部にその座板の前後方向に沿ってそれぞれ配置された、前記肘掛け部材の基端部を前記座板の両側部に固定するための固定金具とを備え、
その固定金具は、
前記座板の前後方向において前記複数の横リブの隣接間隔を超えた距離を隔てて前記座板に着座可能で、かつそれぞれにめねじ部が形成された一対のベース部と、
それらベース部の間において一方のベース部の内端から前記横リブの高さに対応して第１縦壁部として立ち上がった後、前記前後方向に複数の横リブの少なくとも１つを横断するように上板部として延び、その後第２縦壁部として立下って他方の前記ベース部の内端に連なる箱形部とを備え、
各固定金具が前記座板の両側部の前記複数の横リブに跨って配置されるとともに、前記一対のベース部において前記座板に着座し、前記肘掛け部材の基端部が前記座板の下面に配置された状態でその基端部及び座板を下側から上側に向かって貫通し、前記固定金具の各ベース部のめねじ部にねじ込まれたおねじ部材により、前記座板の両側部に対し、各肘掛け部材がそれぞれ１個の前記固定金具を介して固定されたことを特徴とする肘掛け付き椅子。
【請求項２】
前記固定金具の箱形部の上板部には、前記一対のベース部に挟まれて位置する横リブの上縁部と係合して該固定金具を前記座板に対して位置決めする係合部が形成されている請求項１に記載の肘掛け付き椅子。
【請求項３】
前記固定金具の係合部は、前記横リブと平行なスリットの形態をなし、
横リブはそのスリットに対応する部分が他の部分より一定量高さが高くされた被係合部とされ、その被係合部に前記固定金具のスリットが嵌り込んで、前記固定金具が前記座板に対して位置決めされる請求項１または２に記載の肘掛け付き椅子。
【発明の詳細な説明】
【技術分野】
【０００１】
本発明は、椅子の座板の両側部に肘掛け部材を備えた肘掛け付き椅子に関する。
【背景技術】
【０００２】
従来、座板の両側部に肘掛け部材を取付けるため、座板の上面に設けられた縦リブおよび横リブから形成された複数の収容部へ、大きさを最小限にした複数の締付片を収容し、収容部内の縦リブおよび横リブによって、それらの締付片の前後左右方向への位置決めがなされるとともに、肘掛け部材が固定される椅子の肘掛け取付構造が知られている。
【特許文献１】特開２００８−１４２２０８号公報
【発明の開示】
【発明が解決しようとする課題】
【０００３】
しかしながら、上記特許文献に記載されている椅子の肘掛け取付構造は、材料費削減のため、締付片（固定金具）が必要最小限の大きさに形成されており、その締付片（固定金具）の位置決めを行うために、締付片（固定金具）が収まる大きさの収容部が必要になっている。そして、肘掛けの固定強度を高めるためには１ヶ所の締付片（固定金具）だけでは取付けが不安定になる恐れがあるから、固定部分が多くなるように、複数の収容部に対して複数の締付片（固定金具）を用いる必要があった。そのため、肘掛け部材の取付作業の手間が増えるという問題がある。
【０００４】
また、上記のよう最小限の締付片（固定金具）を用いない場合には、横リブの間隔を大として収容部を大きくし、この収容部に前後寸法を大とした１個の大きな締付片（固定金具）を取付けることも考えられる。しかしながら、座板の上面の横リブが少なくなるため座板の強度が低下するという問題がある。
【０００５】
本発明は、上記問題点に鑑みてなされたもので、横リブの数を減少させることなく、座板の両側に肘掛け部材がそれぞれ１つの固定金具を介して、固定される肘掛け付き椅子を提供することにあり、さらに、この固定金具が簡単に確実に取付けできる構造を提案することにある。
【課題を解決するための手段及び発明の効果】
【０００６】
本発明は、椅子の座部の構造材としてその上に装着されるクッション部を支持する座板と、その座板の両側部に固定された肘掛け部材とを備えた肘掛付き椅子において、
座板の、クッション部が装着される上面の少なくとも両側部に位置し、座部の幅方向に延び、かつ座部の前後方向に所定の間隔で、座板の上面から立ち上がる高さを有して直線状に形成された複数の横リブと、
座板の両側部にその座板の前後方向に沿ってそれぞれ配置された、肘掛け部材の基端部を座板の両側部に固定するための固定金具とを備え、
その固定金具は、
座板の前後方向において複数の横リブの隣接間隔を超えた距離を隔てて前記座板に着座可能で、かつそれぞれにめねじ部が形成された一対のベース部と、
それらベース部の間において一方のベース部の内端から横リブの高さに対応して第１縦壁部として立ち上がった後、前後方向に複数の横リブの少なくとも１つを横断するように上板部として延び、その後第２縦壁部として立下って他方のベース部の内端に連なる箱形部とを備え、
各固定金具が座板の両側部の複数の横リブに跨って配置されるとともに、一対のベース部において座板に着座し、肘掛け部材の基端部が座板の下面に配置された状態でその基端部及び座板を下側から上側に向かって貫通し、固定金具の各ベース部のめねじ部にねじ込まれたおねじ部材により、座板の両側部に対し、各肘掛け部材がそれぞれ１個の固定金具を介して固定されたことを特徴とする。
【０００７】
以上のように構成すれば、固定金具が複数の横リブに跨って配置されるため、固定金具の配置のために複数の横リブが欠如されることなく維持されて、座板の強度が低下することはない。また、１個の固定金具を介して肘掛け部材が固定されることにより、固定金具と肘掛け部材が一体化し、椅子における肘掛けの強度が優れる。さらに、比較的小さい固定金具を複数用いるより、少ない部材で済むため取付作業が容易になるとともに、材料費の削減に繋がる。
【０００８】
さらに本発明は、固定金具の箱形部の上板部には、一対のベース部に挟まれて位置する横リブの上縁部と係合して該固定金具を座板に対して位置決めする係合部が形成されるようにすることができる。
【０００９】
このようにすれば、固定金具を座板に配置した際、位置決めが行われて肘掛け部材を容易に固定することができる。
【００１０】
さらに本発明は、
固定金具の係合部は、横リブと平行なスリットの形態をなし、
横リブはそのスリットに対応する部分が他の部分より一定量高さが高くされた被係合部とされ、その被係合部に固定金具のスリットが嵌り込んで、固定金具が座板に対して位置決めされるようにすることができる。
【００１１】
このようにすれば、スリットによる係合部と、横リブに形成した突出部による被係合部によって固定金具の位置決めが行われて、座板に対して固定金具を左右方向逆にして取付けてしまうといった不具合を無くすことができる。
【発明を実施するための最良の形態】
【００１２】
以下、本発明の実施例１を図面に基づいて説明する。
【００１３】
（実施例１）
図１は、本発明の肘掛け付き椅子１の斜視図である。脚部２は、脚部２の先端に設けられたキャスター３と、ハンドル５の操作によって高さ調節可能とされた脚柱４とが備えられている。そして、脚柱４に支持される座フレーム６は、その座フレーム６内部の構造材とされる座板２０と、座フレーム６前方端部の表面に係止片が４つ設けられて、取扱説明書を収納可能とする取扱説明書ホルダー７とを備えており、やや後方よりの左右両側部の下面には肘掛け部材１０が固定されている。また、座フレーム６の上方には、クッション部８と、そのクッション部８と側面視おおよそ直角をなす形態で背もたれ部９が設けられている。
【００１４】
座フレーム６は、合成樹脂で形成されており、概ね椀状の形態をなしている。座板２０は、座フレーム６の内部の構造を補強して、上方に装着されるクッション部８を支持する。
【００１５】
肘掛け部材１０は、側面視において倒立三角形状の肘掛け１１と、その下方の端部には基端部１２とが設けられ、全体が合成樹脂で一体成形されている。基端部１２は、肘掛け取付孔１３が形成されており、座板２０に対して以下、図２〜７に示すように取付けられる。
【００１６】
図２は、図１のクッション部８を取外した座フレーム６内部の座板２０の上面を示す平面図である。図３は、固定金具３０の外形状を示している。以下、図２および図３に基づいて説明する。
【００１７】
図２に示す座板２０は、その外形が略四角形をなしており、椀状であって中央が凹んだ形態をなしている。座板２０の上面は、前後方向へ直線状に等間隔をおいて座板２０の幅方向に延びながら、座板２０の上面から立ち上がる所定高さの横リブ２２が直線状に複数形成され、また、幅方向へ直線状に等間隔をおいて座板２０の上面から立ち上がる所定高さの縦リブ２１が直線状に複数形成され、それらが互いに格子状に交差して、座板２０の上下方向への強度を高めており、着座による加重に対応することができる。
【００１８】
そして、座板２０の中央よりもやや後方位置の両側部には、図３の固定金具３０を配置させる金具取付部２３が１つずつ形成され、それぞれの金具取付部２３は、上記の縦リブ２１および横リブ２２によって区画形成された他の部分の区画よりも大きな区画によって形成され、この金具取付部２３の周囲を区画する縦リブ２１と横リブ２２の少なくとも一方は、他の部分のリブよりもリブの厚さを大にして強度を高めている。
【００１９】
それぞれの金具取付部２３の内方は、実施例において区画する縦リブ２１に接続して横リブ２２として機能するとともに、固定金具３０の位置決めを行うために形状が一部異なる（形状については後ほど説明する。）位置決めリブ２２ａが１つずつ設けられており、固定金具３０は、この位置決めリブ２２ａを跨って配置される。また、この金具取付部２３の内方には縦リブ２１に該当する部材はなく、縦リブ２２が省略された形状を成している。この金具取付部２３付近は、座板２０の外周に近いため、図１のクッション部８から座板２０の外周を押し下げる力が加えられることがあるが、この力に対抗して金具取付部２３内には、横リブ２２に該当する位置決めリブ２２ａを配置することで、縦リブ２２が省略されていても強度を維持することができる。
【００２０】
また、左右一対の金具取付部２３には、それぞれ垂直に延びる筒状孔２５が１つずつ形成されている。さらに、座板２０の上面から下面に貫通した通孔２７が４つずつ形成されている。
【００２１】
図３に示すように、固定金具３０は、鋼板をプレスして一体成形されており、水平なベース部３１が左右均等に形成され、このベース部３１は図２の金具取付部２３に密着して取付けられている。そして、それらベース部３１の間において、一方のベース部３１の内端から図２の横リブ２３の高さに対応して、第一縦壁部３３として立ち上がった後、前後方向に直角に曲がって、図２の位置決めリブ２２ａを横断するように上板部３４として延び、その後第２縦壁部３５として前後方向に直角に立下って、他方のベース部３１の内端に連なる箱形部３６が形成されている。
【００２２】
実施例において、図２の座板２０は椀状の形態をなしているから、横リブ２２は座板２０の上面に配置されるクッション部８の下面に対応させて、座板２０の外周方向の背が低く中央部方向が高くなるように形成されており、また金具取付部２３内の横リブ２２である位置決めリブ２２ａも、座板２０の外周方向の背が低く中央部方向の背が高くなるように形成されている。一方、固定金具３０の上板部３４は、この位置決めリブ２２ａに密着させるために、図２の座板２０における中央部方向が高く座板２０の外周部方向が低くなるように傾斜している。
【００２３】
固定金具３０の一対となって配置されたベース部３１上には、例えばナット等のめねじ部３２がそれぞれ２ヶ所に渡って設けられ、このめねじ部３２は例えばウエルドナットで構成されて、溶接にてベース部３１に固着されている。この固定金具３０のベース部３１は箱形部３６を挟んで配置され、ベース部３１に固着しためねじ部３２は、この箱形部３６を挟んで対となる位置に形成されている。そして、金具取付部２３に固定金具３０を固着するときには、めねじ部３２の位置が非常に重要であり、実施例では、このめねじ部３２の位置を特定するための手段として、箱形部３６を挟んで対となるめねじ部３２毎に、位置決め手段を設けている。即ち、固定金具３０の箱形部３６には固定金具３０の端部側で対となるめねじ部３２の間にスリット（係合部）３８が設けられ、他方の端部側で対となるめねじ部３２の間には金具取付孔３７が形成され、スリット（係合部）３８および金具取付孔３７が固定金具３０側のめねじ部３２のための位置決め手段として機能している。図３に示す固定金具３０では、傾斜した箱形部３６の傾斜の低い端部にスリット（係合部）３８が設けられ、傾斜の高い端部に金具取付孔３７が形成されている。
【００２４】
以下、肘掛け部材１０の取付けに関して説明する。図４は、座板２０に肘掛け部材１０を取付けた座板２０の平面図である。図５は、図４のＡ−Ａ部分拡大断面図であり、図６は、図４のＢ−Ｂ部分拡大断面図である。
【００２５】
図２および図５の実施例に示す筒状部２５と位置決めリブ２２ａは、固定金具３０の位置決め、即ち、めねじ部３２の位置決めをする機能を有しており、固定金具３０の上板部３４がこの位置決めリブ２２ａの上面部に密着できるようになっている。この位置決めリブ２２ａの上面部の端には、段部２４ａを設けて座板２０の外周部方向が高くなるように突出部（被係合部）２４を形成しており、箱形部３６が位置決めリブ２２ａの上面部に密着した時に、固定金具３０のスリット（係合部）３８が突出部（被係合部）２４と係合して位置決め手段を構成している。
【００２６】
また、この位置決めリブ２２ａには上板部３４の金具取付孔３７に対応する位置に筒状孔２５が配置されている。そして、図４に示すように、固定金具３０が座板２０上面に設けられた位置決めリブ２２ａに跨って配置されるとともに、固定金具３０の上板部３４に設けられたスリット（係合部）３８が、位置決めリブ２２ａに嵌まり込んで、箱形部３６のスリット（係合部）３８が位置決めされる。具体的には、位置決めリブ２２ａは、スリット（係合部）３８に対応する部分がその他の部分より４ｍｍ程度（段部２４ａ）高さが高くされた図５および図６に示すような突出部（被係合部）２４が形成されており、この突出部（被係合部）２４にスリット（係合部）３８が座板２０の左右方向から嵌まり込んで位置決めされる。
【００２７】
また、図５に示すように、金具取付部２３に設けた筒状孔２５と固定金具３０の金具取付孔３７とを合わせて、この金具取付孔３７を介して筒状部２５に位置決めねじ３９を上方から挿入し、螺合させることで、図３に示した箱形部３６の金具取付孔３７が位置決めされて固定させる。
【００２８】
図４に示す実施例では、上記の位置決めとともに金具取付部２３の内縁に固定金具２０の外形を当接させて位置決めを行う。すなわち、金具取付部２３を区画形成する横リブ２２と、固定金具３０のベース部３１とを当接させる。このように、スリット（係合部）３８による位置決めと、金具取付部２３の内縁による位置決めとを併用することで、固定金具２０を配置した際、上記の筒状孔２５および金具取付孔３７が正しい位置に来るため、螺合の作業が１本の位置決めねじ３９の締付けだけで非常に容易になる。
【００２９】
図６に示すように、肘掛け部材１０の基端部１２が座板２０の下面に配置された状態で、その基端部１２及び座板２０を下側から上側に向かって、例えばボルト等のおねじ部材１４が固定金具３０のベース部３１のめねじ部３２にねじ込まれて貫通する。このベース部３１のめねじ部３２は予め設定された箇所に位置するように位置決めされているから、これにより、座板２０の両側部に対し、左右の肘掛け部材１０がそれぞれ１個の固定金具３０を介して正しい位置に固定される。そして、肘掛け部材１０を取付けた後、下方より見た態様を図７に示す。以上により、肘掛け部材１０が座板２０に強固に固定されて、肘掛け部材１０と座板２０が一体化されるとともに、椅子における肘掛けの強度が高まる。
【００３０】
（実施例１の変形例）
図８は、図３に示した固定金具３０の変形例を示している。この実施例では、上板部３４がベース３１と平行になるように形成された固定金具４０を用いる。その他、本実施例と共通する機能を有する部分には同一の符号を付して説明を省略する。この実施例では座板２０の椀状の形状が浅い場合に有効であり、図９に示すように、位置決めリブ２２ａの高さは傾斜せずに同じ高さを維持した上面部を有しており、位置決めリブ２２ａの上面部には座板２０の外周部方向が高くなるように段部２４ａと突出部２４を形成している。また、この固定金具４０を用いた場合は、図４と同様に、金具取付部２３に固定金具４０が設置されて、スリット（係合部）３８に位置決めリブ２２ａが挟み込まれてめねじ部３２を有する固定金具４０が位置決めされる。そして、上述した特に図４に示すとおり、座板２０の両側部に対し、左右の肘掛け部材１０がそれぞれ１個の固定金具４０を介して固定される。
【００３１】
なお、上板部３４に対する位置決めリブ２２ａの突出部２４の形状について、図９に示すように、位置決めリブ２２ａの突出部（被係合部）２４の上縁の形状を上板部３４の外表面に連続するように形成してもよく、その場合は、上板部３４および突出部（被係合部）２４の上縁が面一の状態となり、金具取付部２３の傾斜に対してそれぞれ平行になる。このようにすれば、取付部２３における上板部３４は、座板２２の上に図１のクッション部８を配置した時に、上板部３４でクッション部８を受けることができ、クッション部８が安定して取付けできる。
【００３２】
以下、本発明の実施例２を図面に基づいて説明する。なお、実施例１と共通する機能を有する部分には同一の符号を付して説明を省略する。
【００３３】
（実施例２）
図１０は、本発明の実施例２で用いられる座板２０上面を示している。座板２０のやや後方位置の両側部には、図１１の固定金具５０を配置させる金具取付部５１が１つずつ形成されている。この金具取付部５１は、上記の実施例１と同様に、縦リブ２１および横リブ２２によって、区画形成されている。そして、それぞれの金具取付部５１の内方は、縦リブ２１が形成されておらず、1ヶ所の位置決めリブ２２ａを備えた図２の実施例と異なって、２ヶ所に、固定金具５０の位置決めを行うための位置決めリブ２２ｂおよび位置決めリブ２２ｃが設けられている。この位置決めリブ２２ｂと、位置決めリブ２２ｃとの間隔は、座板２０の前後方向に対して、横リブ２２の間隔とほぼ同一であり、図１１の固定金具５０は、この位置決めリブ２２ｂおよび位置決めリブ２２ｃとを跨って配置される。
【００３４】
図１１は、固定金具５０を示す斜視図であり、図３の固定金具３０や図８の固定金具４０との相違点としては、スリット（係合部）３８が設けられていない点にあり、二つの位置決めリブ２２ｂ・２２ｃがスリット（係合部）３８に代わって、めねじ部３２が配置された固定金具５０の位置決めを行っている。
【００３５】
具体的には図１２に示すように、固定金具５０の第１縦壁部３３の内面が位置決めリブ２２ｂと接し、第２縦壁部３５の内面が、位置決めリブ２２ｃと接しており、第１縦壁部３３と、第２縦壁部３５との間に配置した２ヶ所の位置決めリブ２２ｂ・２２ｃによって、座板２０の前後方向の位置決めが行われている。この場合、図１３に示すように位置決めリブ２２ｂ・２２ｃの上縁と固定金具５０の下面とは接していても良いが、固定金具５０の固定に際して、必ずしも接している必要はない。また、図１０に示すように、２ヶ所の位置決めリブ２２ｂ・２２ｃの間の金具取付部５１には、正常な位置に配置された固定金具５０の上板部３４の金具取付孔３７に対応する位置に筒状孔２５が配置されている。このため、図１２のように金具取付孔３７に位置決めねじ３９を上方から挿入し、筒状孔２５に螺合させて固定することで、めねじ部３２を有する固定金具５０は座板２０の左右方向への位置決めがなされている。
【００３６】
図１４は、取扱説明書ホルダー７に取扱説明書６０を収納する態様を示したものであり、座フレームの下面に設けられた取扱説明書ホルダー７は、第１係止片６１と、第２係止片６２とを備えている。具体的には取扱説明書６０を取扱説明書ホルダー７に挿入し、第１係止片６１および第２係止片６２によって、取扱説明書６０が保持されるとともに、第２係止片の奥壁に取扱説明書６０の端部が当接されて位置決めが行われる。
【００３７】
以上は本発明の文字通り一実施例であり、本発明がその実施例の記載に限定して解釈されるものでないことは言うまでもない。
【図面の簡単な説明】
【００３８】
【図１】本発明の肘掛け付き椅子の斜視図。
【図２】座板の上面を示す平面図。
【図３】固定金具の外形状を示す図。
【図４】肘掛け部材を取付けた座板の上面を示す平面図。
【図５】図４のＡ−Ａ部分拡大断面図。
【図６】図４のＢ−Ｂ部分拡大断面図。
【図７】肘掛け部材を取付けた座板の１側部を下方より見た斜視図。
【図８】図３の固定金具の変形例を示す斜視図。
【図９】図８の固定金具を座板に取付けた状態を示す拡大断面図。
【図１０】本発明の他の実施例における座板の上面を示す平面図。
【図１１】図１０の座板に取付けられる固定金具を示す斜視図。
【図１２】図１１の固定金具を取付けた座板の上面を示す平面図。
【図１３】図１２のＣ−Ｃ部分拡大断面図。
【図１４】取扱説明書ホルダーに取扱説明書を挿入した状態を示す説明図。
【符号の説明】
【００３９】
１  肘掛け付き椅子
７  取扱説明書ホルダー
１０  肘掛け部材
１２  基端部
１４  おねじ部材
２０  座板
２１  縦リブ
２２  横リブ
２２ａ  位置決めリブ
２２ｂ  第１位置決めリブ
２２ｃ  第２位置決めリブ
２３  金具取付部
２４  突出部（被係合部）
３０  固定金具
３１  ベース部
３２  めねじ部
３３  第１縦壁部
３４  上板部
３５  第２縦壁部
３６  箱型部
３７  金具取付孔
３８  スリット（係合部）
３９  位置決めねじ
４０  固定金具
５０  固定金具
５１  金具取付部
６０  取扱説明書
６１  第１係止片
６２  第２係止片
【図１】
2010131246.tif 000003
【図２】
2010131246.tif 000004
【図３】
2010131246.tif 000005
【図４】
2010131246.tif 000006
【図５】
2010131246.tif 000007
【図６】
2010131246.tif 000008
【図７】
2010131246.tif 000009
【図８】
2010131246.tif 000010
【図９】
2010131246.tif 000011
【図１０】
2010131246.tif 000012
【図１１】
2010131246.tif 000013
【図１２】
2010131246.tif 000014
【図１３】
2010131246.tif 000015
【図１４】
2010131246.tif 000016